(57)【特許請求の範囲】
【請求項１】
板状部材と、前記板状部材の後方に取り付けられるリブ片を直交状に備えた格子構造を有する複数の格子部材とからなり、前記板状部材の前面を遊技球が流下する遊技領域とした合成樹脂製の遊技盤を備えてなるパチンコ機であって、
隣接する前記格子部材同士を、一方の格子部材に設けられた凹部に他方の格子部材に設けられた凸部を嵌入させて連結し、該連結された複数の前記格子部材の少なくとも格子構造を、前記板状部材の裏面において前記遊技領域を囲むように位置させている一方、
前記凸部及び前記凹部の両者をネジ止めするためのネジ孔を設け、前記凹部のネジ孔を前記凸部の嵌入方向に長い長円状に形成するとともに、前記凹部の嵌入口における開口周縁部で前記他方の格子部材に対向する端面と、前記凸部の根元部で前記一方の格子部材に対向する端面とが当接するまで前記凸部を前記凹部へ嵌入させて、前記格子部材同士を連結した際に、前記凸部の嵌入方向での先端と前記凹部の嵌入方向での底面との間に隙間が形成されるようにしたことを特徴とするパチンコ機。
【請求項２】
格子部材の周縁部に切り欠きを設け、該切り欠き内に格子部材を露出させるとともに、該格子部材の露出部に、遊技盤をパチンコ機本体に設置するための設置部材を取り付けたことを特徴とする請求項１に記載のパチンコ機。
【発明の詳細な説明】
【技術分野】
【０００１】
本発明は、合成樹脂製の遊技盤を有するパチンコ機に関するものである。
【背景技術】
【０００２】
近年、例えば特許文献１に開示されているように、遊技盤全体を、従来一般的な木板ではなく、透明な合成樹脂により成形したパチンコ機が考案されている。しかしながら、遊技盤を合成樹脂により成形することで遊技盤が熱や外力で変形しやすくなることが問題となっている。
そのため、合成樹脂の材質を改善することによって遊技盤の強度を向上させる試みや、
また、特許文献２のパチンコ機のように、遊技盤の各辺に沿って剛性を有する(金属のような）枠状の補強部材によって、遊技盤に発生しやすい熱や外力による変形、もしくは経時変化による変形を強制的に押さえ込むとともに、衝撃による変形を防止する方法が考えられている。
【０００３】
【特許文献１】特開２００４−２５４９０１号公報
【特許文献２】特開２００６−３４６４３号公報
【発明の開示】
【発明が解決しようとする課題】
【０００４】
しかしながら、上記補強部材による固定等といった構成を採用すると、遊技盤の設置作業が繁雑となるし、熱や外力による大きな形状変化（反り）を防止できたとしても、温度上昇によって遊技盤が左右もしくは上下方向へ熱膨張する形状変化を補強部材により強制的に押さえ込まれる為に、遊技盤に不均一な歪みが生じてしまう。そして、そのような不均一な歪みによって、遊技盤前面に植設されている遊技釘同士の間隔が一層変化してしまうといった問題がある。さらに、ただ耐熱性の高い合成樹脂により遊技盤を成形したのでは、コスト高を招くに過ぎない。
【０００５】
そこで、本発明は、上記問題を解決すべくなされたものであって、遊技盤の熱膨張によって生じる歪みを効果的に抑制することができるパチンコ機を提供しようとするものである。 
【課題を解決するための手段】
【０００６】
かかる本発明のうち請求項１に記載された発明は、板状部材と、前記板状部材の後方に取り付けられるリブ片を直交状に備えた格子構造を有する複数の格子部材とからなり、前記板状部材の前面を遊技球が流下する遊技領域とした合成樹脂製の遊技盤を備えてなるパチンコ機であって、隣接する前記格子部材同士を、一方の格子部材に設けられた凹部に他方の格子部材に設けられた凸部を嵌入させて連結し、該連結された複数の前記格子部材の少なくとも格子構造を、前記板状部材の裏面において前記遊技領域を囲むように位置させている一方、前記凸部及び前記凹部の両者をネジ止めするためのネジ孔を設け、前記凹部のネジ孔を前記凸部の嵌入方向に長い長円状に形成するとともに、前記凹部の嵌入口における開口周縁部で前記他方の格子部材に対向する端面と、前記凸部の根元部で前記一方の格子部材に対向する端面とが当接するまで前記凸部を前記凹部へ嵌入させて、前記格子部材同士を連結した際に、前記凸部の嵌入方向での先端と前記凹部の嵌入方向での底面との間に隙間が形成されるようにしたことを特徴とする。
【０００７】
請求項２に記載された発明は、請求項１に記載された発明において、板状部材の周縁部に切り欠きを設け、該切り欠き内に格子部材を露出させるとともに、該格子部材の露出部に、遊技盤をパチンコ機本体に設置するための設置部材を取り付けたことを特徴とする。
【発明の効果】
【０００８】
請求項１に記載の発明によれば、複数の格子部材同士を、凸部を凹部へ嵌入した後に両者をネジ止めして連結するとともに、凹部のネジ孔を凸部の嵌入方向に長い長円状のネジ孔とし、当該ネジ孔の長径方向に遊びを設けている。したがって、温度変化等により板状部材が膨張した際に、板状部材に歪みが発生しにくくなる。また、格子部材の何れかが熱変形する際にも、格子部材同士の連結部において格子部材間を伝播する熱変形を緩和することができ、遊技盤全体の熱変形防止効果を高めることもできる。したがって、遊技盤全体での反りや歪みの量を低減することができ、遊技盤前面に植設されている遊技釘の間隔の変化等を抑制することができる。
【０００９】
さらに、凹部のネジ孔を長円状としたことで、２つのネジ孔が重なる領域が増えるため、２つの格子部材を連結させる場合、格子部材の連結位置を多少調節することができる。したがって、各格子部材成型時の加工誤差や、成型後の温度変化等に起因する形状変化によって、寸法に多少の狂いを生じた格子部材を用いる場合であっても、格子部材間の連結具合を調節することができる。
【００１０】
請求項２に記載の発明によれば、板状部材より熱膨張や収縮が起こりにくい格子部材部分を、パチンコ機本体への組み付けに利用しているため、板状部材が熱膨張や収縮を生じたとしても、遊技盤全体がずれたりしないし、無理な負荷がかからない。また、板状部材をパチンコ機本体への組み付けに使用しない為、板状部材自体に余計な歪みを生じさせることがない。
【発明を実施するための最良の形態】
【００１１】
以下、本発明のパチンコ機の一実施形態について、図面に基いて詳細に説明する。
【００１２】
図１におけるパチンコ機１は、パチンコ機１本体を支持する機枠２に、金属製のフレーム部材であるミドル枠（図示せず）を介して遊技盤１０を設置すると共に、該遊技盤１０の前方を閉塞可能な前扉３を片開き自在に取り付けてなるものである。そして、該前扉３により閉塞される遊技盤１０の前方空間（遊技盤１０の前面）を、遊技球が流下する略円形の遊技領域１１としている。
【００１３】
遊技領域１１は、円弧状に配設された外レール１２や内レール１３等により囲まれており、当該遊技領域１１へは、外レール１２と内レール１３との間に形成される発射通路を介して遊技球を打ち込み可能となっている。また、遊技領域１１の略中央には、「０」〜「９」の数字や絵柄等からなる「図柄」を表示する図柄表示領域２２や、遊技球を左右へ揺動させるステージ部材２０が設置されていると共に、当該ステージ部材２０上へ遊技球を導くための誘導部材（図示せず）、及びステージ部材２０の上方に形成される図柄表示領域２２への遊技球の進入を防止する庇部材２１等を組み付けてなるセンター部材が設置されている。
また、遊技領域には、多数の遊技釘１９、１９・・（図２に示す）、遊技球が通過可能なゲート部材１４、一対の爪片を開閉動作可能に備えたチューリップ式電動役物１５、開閉可能な扉部材を有する大入賞装置１６、遊技球が入賞可能な入賞部材１７、１７・・、風車１８等が設置されている。
【００１４】
一方、遊技盤１０の下方には、遊技球を発射装置（図示せず）へ供給するための供給皿４、及び該供給皿４から溢れた遊技球を貯留するための貯留皿５が機枠２に対して片開き可能に取り付けられている。また、貯留皿５の近傍には、発射装置を作動させるための発射ハンドル６、音声や効果音による演出を行うためのスピーカ７等が設置されている。
さらに、遊技盤１０の後面には、「図柄」を図柄表示領域２２内に表示させるための液晶表示装置（表示装置）４１、遊技に係る制御（例えば、所謂「大当たり抽選」や液晶表示装置４１における表示制御等）を行う制御装置４２等が後述するような状態で設置されている。
【００１５】
以上のようなパチンコ機１では、遊技者によって発射ハンドル６が回動操作されると、発射装置が作動して遊技球が遊技領域１１内へ打ち込まれる。そして、遊技領域を流下する遊技球がチューリップ式電動役物１５へ入賞すると、制御装置４２にて所謂「大当たり抽選」を行い、「大当たり」である場合には、図柄表示領域２２に所定態様の図柄を確定表示した後、大入賞装置１６の扉部材を所定回数にわたって断続的に開成させるといった所謂「大当たり状態」を生起させる。
【００１６】
次に本発明の要部となる遊技盤１０について、図２〜４をもとに説明する。
図２は、パチンコ機１の後面を示した説明図であり、図３は、遊技盤１０の裏打ち機構部３２を後面側から示した説明図である。また、図４は、裏打ち機構部３２を構成する格子部材５１〜５４を後面側から示した説明図である。
【００１７】
遊技盤１０は、一枚板状に形成された板状部材３１と、該板状部材３１の後面側で、遊技領域１１の周囲に固着される裏打ち機構部３２とからなる。
板状部材３１は、アクリル樹脂から成形された透明な板状体であって、その前面には、複数の障害釘１９，１９・・が植設されている。また、板状部材３１の略中央部には、ステージ部材２０を設置するための開口部２３が設けられている。さらに、板状部材３１の図２における左上隅部と左下隅部とには、後面に固着される裏打ち機構部３２の一部を露出させるための切り欠き４９ａ、５０ａが設けられている。尚、板状部材３１の外周面及び開口部２３内周面には、疎水性を有するシール部材によるコーティングが施されている。
【００１８】
一方、裏打ち機構部３２は、板状部材３１よりも耐熱性の高い合成樹脂（例えば、ポリカーボネート）により成形され、遊技盤１０を後方から見た際に、左上隅部、右上隅部、左下隅部、及び右下隅部にそれぞれ対応する格子部材５１，５２，５３，５４を連結してなる。各格子部材５１〜５４は、厚さ略２ｍｍの底板部分から高さ略１２ｍｍのリブ片を突出させ、また上下方向及び左右方向に直交させた格子構造を備えている。尚、裏打ち機構部３２の外周面及び内周面にも、疎水性を有するシール部材によるコーティングが施されている。
板状部材３１と裏打ち機構部３２との固着方法は、図２のように板状部材３１と裏打ち機構部３２を２つを重ね合わせた状態で遊技領域１１の周囲に配置し、板状部材３１の前面側から裏打ち機構部３２までを挿通させるように、ピンもしくは螺子により固定されている。この際、複数の格子部材５１〜５４の各々全てが板状部材３１と固着された状態となっている。
【００１９】
左上隅部の格子部材５１は、略円弧状の一辺を持つ略三角形状で、右上隅部の格子部材５２と接する右端部には凹部５１ａを、左下隅部の格子部材５３と接する下端部には凸部５１ｂをそれぞれ有している。また、該格子部材５１の上部左側縁は、上記板状部材３１の切り欠き４９ａ内に露出する露出部４９ｂとなっており、該露出部には、遊技盤１０をミドル枠に設置するための設置部材４９が取り付けられている。
右上隅部の格子部材５２は、上記格子部材５１同様の略三角形状で、左上隅部の格子部材５１と接する左端部には、凹部５１ａ内へ嵌入可能な凸部５２ａを、右下隅部の格子部材５４と接する下端部には凹部５２ｂをそれぞれ有している。
【００２０】
左下隅部の格子部材５３も、上記格子部材５１同様の略三角形状で、左上隅部の格子部材５１と接する上端部には、凸部５１ｂを嵌入可能な凹部５３ａを、右下隅部の格子部材５４と接する右端部には凹部５３ｂをそれぞれ有している。また、該格子部材５３の下部左側縁は、上記格子部材５１同様、板状部材３１の切り欠き５０ａ内に露出する露出部５０ｂとなり、該露出部にも設置部材５０が取り付けられている。
右下隅部の格子部材５４も、上記格子部材５１同様の略三角形状体で、右上隅部の格子部材５２と接する上端部には、凹部５２ａ内へ嵌入可能な凸部５４ａを、左下隅部の格子部材５３と接する左端部には、凹部５３ｂ内へ嵌入可能な凸部５４ｂをそれぞれ有している。
さらに、各格子部材５１〜５４の凸部および凹部において、凸部には両者を連結状態で固定するためのネジを挿入可能なネジ孔Ａ，Ａ・・を穿設し、凹部には凸部の嵌入方向へ長い長円状のネジ孔Ｂ２，Ｂ２・・を穿設している（図７）。
【００２１】
そして格子部材５１〜５４を、各凸部を対応する凹部に嵌入させ、ネジ止めして一体化することにより、遊技領域１１を囲むように設置可能なリング状の裏打ち機構部３２が形成される。また、該裏打ち機構部３２を、板状部材３１の後面にネジ止めすることで、遊技盤１０を形成することができる。
【００２２】
次に、遊技盤１０の更に後方部について図５及び図６をもとに説明する。図５はパチンコ機１０の左側方を示した説明図であり、図６はパチンコ機１０を上方から示した説明図である。遊技盤１０は、後方に液晶表示装置４１と、制御装置４２とが設置されている。
液晶表示装置４１は、前面に開口を有する箱状の液晶支持部材(支持部材）４１ａに支持されており、その前面開口から表示部を露出させた状態で図柄表示領域２２の後方に位置されている。遊技盤後方は、比較的温度が上がりやすいが、その中でも液晶表示装置４１が最も熱を発しており、この液晶表示装置からの発熱が生じさせる板状部材の変形が問題となっている。該液晶表示部４１は、その後面が金属板で形成されており、該金属板にはさらに後方へ突出する突起部４１ｃ、４１ｃが設けられている。そのため、液晶支持部材４１ａによる支持状態において、液晶表示部装置４１の後面（金属板）と液晶支持部材４１ａの後面との間に隙間４４が形成されることになる。さらに、液晶支持部材４１ａの後面上部には、誘導壁４１ｂが図４における制御装置４２のスリット４２ｄ、４２ｄ・・の上方へ突出するように切り起こし形成されて（液晶支持部材４１ａ内と連通する開口が設けられて）おり、下方から吹き付けられた風を隙間４４内へ導くようになっている。尚、液晶支持部材４１ａには、隙間４４と連通する図示しない複数のスリットも開設されている。
【００２３】
また、液晶支持部材４１ａの上部が固定される取付部材３３の誘導壁４１ｂ上方位置には、スリット４２ｄ、４２ｄ・・の上方を覆うような庇状の風受け部材４７が後方へ突設されている。さらに、当該取付部材３３には、風受け部材４７内と液晶表示装置４１の前方の空間４８とを連通させる連通路が設けられており、風受け部材４７が受けた風を液晶表示装置４１の前方と板状部材３１の後方との間の空間４８へ導くようになっている。
【００２４】
またさらに、該液晶表示装置の後方には、液晶支持部材４１ａの後面に、制御装置４２が取り付けられている。該制御装置４２は、合成樹脂製の収納ケース内に制御基板４２ａを収納したもので、制御基板４２ａには、ＣＰＵやＲＯＭ等の各種制御素子４２ｂ、４２ｂ・・が搭載されている。
【００２５】
さらにまた、収納ケース内には、制御素子４２ｂ、４２ｂ・・の邪魔とならないようにＬ字状のダクト部４２ｃが設けられている。ダクト部４２ｃは、収納ケースの後面から前方へ突設された一対の壁部により形成されており、該ダクト部４２ｃ内には、複数の放熱フィンを立設してなるヒートシンク４３、４３・・が制御基板４２に固定されており、制御素子４２ｂ、４２ｂ・・が発する熱を吸収するようになっている。また、ダクト部４２ｃの一端は、収納ケースの後面に設置されたファン（除熱用ファン）４５を介して外部と連結されており、ファン４５により外部の空気をダクト部４２ｃ内へ送り込めるようになっている。一方、ダクト部４２ｃの他端は、収納ケースの上面に連結されている。該連結位置には、複数のスリット４２ｄ、４２ｄ・・が開設されており、ダクト部４２ｃ内を通過してきた風を制御装置４２外部へ排出可能としている。尚、ファン４５は、ダクト部４２ｃの一端（スリット４２ｄ、４２ｄ・・から最も遠い位置）にあるヒートシンク４３の後方に設置されており、風を当該ヒートシンク４３に直接吹き付けながらダクト部４２ｃ内へ送り込むようになっている。
【００２６】
上述の如き本実施形態に係るパチンコ機１によれば、遊技盤１０を、板状部材３１と該板状部材３１よりも耐熱性を有する合成樹脂製の裏打ち機構部３２とから形成し、さらに裏打ち機構部３２をリブ片を直交状に備えた格子構造を有する複数の格子部材５１〜５４から形成している。
したがって、裏打ち機構部が板状部材に比べ温度変化に強くなり、且つ複数の格子部材の構成を採用することにより、軽量で頑丈な部材を実現できる。
さらに、該格子部材５１〜５４を設置する構成を採用することで、板状部材３１として比較的安価なアクリル樹脂を用いることができ、遊技盤１０全体の低コスト化を図ることができる。
【００２７】
上記実施形態に係るパチンコ機１によれば、裏打ち機構部３２を複数の格子部材５１〜５４で構成している為、一箇所の不具合又は破損が生じた際に、一体成形の場合は、裏打ち機構部全体を破棄しなければならないのに比べ、複数の格子部材で構成している場合は、破損部分の交換のみで、他の部分をそのまま有効利用することができる。
さらに、裏打ち機構部が有している略円状の開口部は、一体成形の場合は、上下もしくは左右方向へ過度の負担がかかると破損することがあるが、複数の格子部材で構成している場合は、個々の部材が一体成形されたものに比べてサイズが小さく、また解体して運ぶことが可能な為、損傷を受けにくくなる。
【００２８】
また、裏打ち機構部３２は格子部材５１〜５４同士を凸部の凹部への嵌入後にネジ止めして連結してなり、凸部の嵌入方向に長い長円状のネジ孔Ｂ２，Ｂ２を凹部に設けている。それにより、２つのネジ孔が重なる領域が増えるため、２つの格子部材５１〜５４を連結させる場合、格子部材５１〜５４の連結位置を多少調節することができる。したがって、各格子部材成型時の加工誤差や、成型後の温度変化等に起因する形状変化によって、寸法に多少の狂いを生じた格子部材を用い裏打ち機構部を形成する場合であっても、格子部材５１〜５４間の連結具合を調節できるため、板状部材３１やミドル枠への取り付けの規格に合った裏打ち機構部３２を形成することができる。
さらに、格子部材５１〜５４の凹部のネジ孔Ｂ２，Ｂ２を凸部の嵌入方向へ長い長円状に形成し、ネジ孔Ｂ２，Ｂ２の長径方向に遊びを設けている。したがって、温度変化等により板状部材３１が膨張した際に、板状部材３１に歪みが発生しにくくなるし、格子部材５１〜５４の何れかが熱変形する際にも、格子部材５１〜５４同士の連結部において格子部材間を伝播する熱変形を緩和することができ、遊技盤１０全体の熱変形防止効果を一層高めることができる。
【００２９】
さらにまた、板状部材３１に切り欠き４９ａ、５０ａを設けて、該切り欠き４９ａ、５０ａ内に裏打ち機構部３２の一部である４９ｂ、５０ｂを露出させるようにし、該露出部に設置部材４９，５０を取り付けており、熱膨張や収縮しにくい裏打ち機構部３２をミドル枠に固定するようにしている。
したがって、板状部材３１をも固定するような構成の場合は、板状部材３１が温度変化により熱膨張を起こした際に、固定部によって熱膨張による形状変化が強制的に抑えられることになり、遊技盤の歪みの原因となってしまう。
しかしながら、裏打ち機構部３２でのみ固定する構成だと、遊技盤３に余計な歪みを生じることがなく、さらに、ミドル枠への固定部に負荷がかかり遊技盤３に割れが生じてしまうといった事態も起こらない。
加えて、板状部材３１や裏打ち機構部３２の外周面及び内周面（すなわち、加工面）を疎水性のシール部材によりコーティングしているため、加工面が湿気等を吸収することにより生じる変形をも防止することができ、遊技盤１０の変形防止効果を更に高めることができる。
【００３０】
一方、パチンコ機１では、ファン等を備えているため、液晶表示装置４１の後面へ風をあてることにより、熱をもちやすい液晶表示装置４１の金属板を除熱可能としているため、遊技盤１０後方の温度上昇を抑制することができる。
したがって、温度上昇による遊技盤１０の熱変形を防止することができる。
【００３１】
なお、本発明のパチンコ機の構成は、上記実施形態の態様に何ら限定されるものではなく、遊技盤、制御装置、液晶表示装置、除熱機構、及び裏打ち機構に係る構成について、本発明の趣旨を逸脱しない範囲で必要に応じて適宜変更することができる。
【００３２】
たとえば本実施例において、格子部材の素材にポリカーボネート樹脂を採用しているが、耐熱性プラスチックを採用することも可能である。さらに、エポキシ系樹脂、フェノール系樹脂、メラミン系樹脂、尿素系樹脂等のいずれかを用いてもよい。
【００３３】
また、上記実施例では、別の板状部材３１と裏打ち機構部３２との固着方法として、板状部材３１と裏打ち機構部３２とをピンもしくは螺子により固定しているが、その様な方法に限定されることはない。例えば、裏打ち機構部３２の前面側に、板状部材３１と同形状の凹部を設け、板状部材３１を凹部に嵌め込むとともに、裏打ち機構部の凹部周縁部に設けられた爪部により板状部材を固定する等、種々の方法が考えられる。
【００３４】
また、上記実施例では裏打ち機構部を４つの格子部材により構成しているが、２つの格子部材から構成するようにしてもよい。
遊技盤は上下方向に長い略長方形であることが多く、熱膨張や収縮の割合が左右方向より上下方向の方が大きくなる場合がある。その場合においては、上下方向への２つの格子部材の配置が、より板部材の膨張に伴う変化に対応出来るので、左右方向に配置した場合より反りや歪みの抑制に適している。
しかしながら、遊技盤の左右方向に膨張が生じ、横方向の遊技釘の間隔が変化することによって、遊技領域内での球詰まりや、入賞口への入賞確率の変化などの不具合をもたらす場合がある。特に、命釘と呼ばれる始動入賞口（所謂スタート）の上方近傍に位置する２本の遊技釘の間隔の変化は、ホール営業にも深刻な影響を及ぼすことがある。したがって、本場合においては、左右方向に２つの格子部材を配置し、互いの連結部を裏打ち機構部の上辺側と下辺側に位置させた方が、板状部材３１の横方向への膨張に伴う変化に対応可能となり、横方向への反りや歪みを解消できる。
なお、格子部材を４つ以上設置した場合、格子部材を２つ設置した場合と比較して、格子部材間の連結部の数が増えることで遊びの割合が多くなる為、板状部材の変形に適応可能な範囲が広がり、板状部材３１を押さえ込むことによって生じる反りや歪みが生じにくくなる。
【００３５】
さらにまた、板状部材を保持する格子部材を一体成形ではなく複数のパーツから構成することにより、加工が容易となることに加え、不良品を交換する場合には部分的な交換で済むため、製造効率が向上するなどの利点がある。
【００３６】
またさらに、本実施例では、格子部材の底板部分に２ｍｍの厚みを採用しているが、さらに厚みを持たせることによって、耐熱性プラスチック素材でなくとも、熱膨張や収縮に対する耐性を獲得することが出来る。例えば、素材にアクリル樹脂を採用した場合、ポリカーボネートを採用した場合と比較すると、加工性に優れており、製造コストを安価に抑えることができるというメリットがある。
【図面の簡単な説明】
【００３７】
【図１】パチンコ機の前面を示した説明図である。
【図２】遊技盤を後方から示した説明図である。
【図３】裏打ち機構部の正面図である。
【図４】裏打ち機構部を構成している格子部材の説明図である。
【図５】遊技盤を左側方から示した説明図である。
【図６】遊技盤を上方から示した説明図である。
【図７】格子部材のネジ孔の説明図である。
【符号の説明】
【００３８】
１・・パチンコ機、３・・遊技盤、６・・レール部材、１０・・遊技盤、３１・・板状部材、３２・・裏打ち機構部、３３・・取付部材、３４・・取付金具、４１・・液晶表示装置、４１ａ・・液晶支持部材、４２ｃ・・ダクト部、４３・・ヒートシンク、４４・・隙間、４８・・空間、４９、５０・・設置部材、４９ａ、５０ａ・・切り欠き、４９ｂ、５０ｂ・・露出部、５１、５２，５３，５４・・格子部材、５１ａ、５２ａ、５３ａ、５３ｂ・・凹部、５１ｂ、５２ｂ、５４ａ、５４ｂ・・凸部、Ａ・・正円状のネジ孔、Ｂ２・・長円状のネジ孔。
【図１】
0005435323.tif 000002
【図２】
0005435323.tif 000003
【図３】
0005435323.tif 000004
【図４】
0005435323.tif 000005
【図５】
0005435323.tif 000006
【図６】
0005435323.tif 000007
【図７】
0005435323.tif 000008